(57)【要約】【課題】基礎パッキンにおける通気性能を維持しつつ、所望機能を有する機能部材を取り付けることを可能にする。【解決手段】基礎パッキン３は、幅方向Ｂに貫通する通気孔３２が長手方向Ａの全長に亘って複数形成されたパッキン本体３１と、パッキン本体３１の屋外側端部において、パッキン本体３１の上面３１ａから上方に突出する突出部３５とを含む。突出部３５には、土台２の屋外側に配置される建物１００を構成するための機能部材としての支持部材８及び水切り部材９を取り付けるための第１取付部３６及び第２取付部３７が形成されている。【選択図】図１
2018145613.tif 000002
【特許請求の範囲】
【請求項１】
建物の基礎と土台との間に配置される一方向に長尺な基礎パッキンであって、
前記一方向と直交する幅方向に貫通する通気孔が前記一方向の全長に亘って複数形成されたパッキン本体と、
前記パッキン本体の前記幅方向の一端部において、前記パッキン本体の上面から上方に突出する突出部とを備えており、
前記突出部には、前記土台の前記幅方向の一端側に配置される前記建物を構成するための機能部材を取り付けるための取付部が形成されていることを特徴とする基礎パッキン。
【請求項２】
前記突出部が、前記パッキン本体の前記一方向の全長に亘って連続的に形成されており、
前記取付部は、前記突出部の前記一方向の全長おける少なくともいずれかの箇所に、前記機能部材を取り付けることが可能に構成されていることを特徴とする請求項１に記載の基礎パッキン。
【請求項３】
前記取付部は、複数種類の前記機能部材を取り付けることが可能に構成されていることを特徴とする請求項１又は２に記載の基礎パッキン。
【請求項４】
前記機能部材は、雨水の浸入を防止するための水切り部材、生き物の侵入を防止するための侵入防止部材、外壁材、断熱材又は外壁下地材を支持するための支持部材、基礎の外側面に塗着される仕上げモルタル用のモルタル止め部材の少なくともいずれかであることを特徴とする請求項１〜３のいずれか１項に記載の基礎パッキン。
【請求項５】
建物の基礎と土台との間に配置される一方向に長尺な基礎パッキンであって、
前記一方向と直交する幅方向に貫通する通気孔が前記一方向の全長に亘って複数形成されたパッキン本体と、
前記パッキン本体の前記幅方向の一端部において、前記パッキン本体の上面から上方に突出する突出部と、
雨水の浸入を防止するための水切り部材とを備えており、
前記突出部には、前記水切り部材を取り付けるための取付部が形成されていることを特徴とする基礎パッキン。
【請求項６】
前記取付部は、
前記水切り部材を取り付けるための第１取付部と、
前記第１取付部よりも上方に形成され、前記水切り部材とは別の機能を有し前記土台の前記幅方向の一端側に配置される前記建物を構成するための機能部材を取り付けることが可能な第２取付部とを有していることを特徴とする請求項５に記載の基礎パッキン。
【発明の詳細な説明】
【技術分野】
【０００１】
本発明は、建物の基礎と土台との間に配置される基礎パッキンであって、床下換気タイプの長尺の基礎パッキンに関する。
【背景技術】
【０００２】
近年、建物の工法において、基礎と土台との間に基礎パッキンが敷設される工法が広く用いられている。この種の基礎パッキンとして、基礎パッキンの敷設方向（一方向）と直交する幅方向に当該基礎パッキンを貫通する通気孔が設けられ、当該通気孔を介して床下と建物の外部との換気を図るようにしたものがある。
【０００３】
一方、基礎パッキンが配置される外側近傍には、雨水の浸入を防止する機能を有する水切り部材、外壁通気工法において外壁材（サイディング）の内側の通気層へ鼠等の小動物や昆虫などの生き物の侵入を防止するための侵入防止部材（防鼠部材や防虫部材）、外壁材や外壁下地材の下端位置の位置決めを行いつつ支持する支持部材（例えば、スターター）、基礎の外側面に塗着される仕上げモルタル用のモルタル止め部材等の建物を構成するための機能部材も取り付けられる。しかしながら、換気タイプの基礎パッキンを用いてこれら機能部材を取り付ける場合、基礎パッキンの通気孔を塞いで通気性能を低下させることがあってはならず、取り付け位置には制限がある。
【０００４】
例えば、特許文献１には、基礎パッキン本体の上面よりも上方に突出する複数のガイド部材が、基礎パッキンの長手方向に所定の間隔をあけて、基礎パッキン本体の側面に一体的に形成された基礎パッキンについて記載されている。この基礎パッキンにおけるガイド部材は、その上面部分が水切り部材と外壁下地材に下部から当接することで水切り部材と外壁下地材の高さ方向の位置合せを行うように構成されている。また、ガイド部材は、通気孔が形成されていない基礎パッキンの側面領域に突出して形成されており、通気孔の通気の妨げにならないように配置されている。
【先行技術文献】
【特許文献】
【０００５】
【特許文献１】特開２００７−００２４１５号公報（図５）
【発明の概要】
【発明が解決しようとする課題】
【０００６】
しかしながら、上記特許文献１に記載された基礎パッキンにおいては、通気孔が形成されていない側面領域にガイド部材を突出して形成するようにしている。このため、換気基準を満たすように基礎パッキン本体の側面全域にわたって通気孔を設けた場合では、ガイド部材を形成する領域がなくなり、ガイド部材で機能部材の位置決めなどができなくなる。また、基礎パッキンでは、そのガイド部材によって、水切り部材と外壁下地材の高さ方向の位置合せを行うことは可能であるが、基礎パッキンに水切り部材、侵入防止部材、支持部材等の機能部材を必要に応じて取り付けることはできない。
【０００７】
そこで、本発明の目的は、基礎パッキンにおける通気性能を維持しつつ、所望機能を有する機能部材を取り付けることが可能な基礎パッキンを提供することである。
【課題を解決するための手段】
【０００８】
本発明の基礎パッキンは、建物の基礎と土台との間に配置される一方向に長尺な基礎パッキンであって、前記一方向と直交する幅方向に貫通する通気孔が前記一方向の全長に亘って複数形成されたパッキン本体と、前記パッキン本体の前記幅方向の一端部において、前記パッキン本体の上面から上方に突出する突出部とを備えており、前記突出部には、前記土台の前記幅方向の一端側に配置される前記建物を構成するための機能部材を取り付けるための取付部が形成されている。
【０００９】
これによると、機能部材を取り付けるための取付部が通気孔の上方に形成されているため、当該取付部及び取付部に取り付けられた機能部材が通気孔を塞ぐのを抑制することが可能となる。したがって、基礎パッキンにおける通気性能を維持することが可能となる。また、取付部に所望機能を有する機能部材を選択的に取り付けることが可能となる。
【００１０】
また、本発明において、前記突出部が、前記パッキン本体の前記一方向の全長に亘って連続的に形成されており、前記取付部は、前記突出部の前記一方向の全長おける少なくともいずれかの箇所に、前記機能部材を取り付けることが可能に構成されていることが好ましい。これにより、機能部材を突出部の全長に亘って取り付ける、又は突出部の一方向のいずれかの箇所に取り付けることが可能となる。
【００１１】
また、本発明において、前記取付部は、複数種類の前記機能部材を取り付けることが可能に構成されていることが好ましい。これにより、複数種類の機能部材をパッキン本体に取り付けることが可能となる。
【００１２】
また、本発明において、前記機能部材は、雨水の浸入を防止するための（例えば、前記幅方向に延在する雨水案内板部と前記雨水案内板部の先端から下方に延出する前垂れ板部とを有する）水切り部材、生き物の侵入を防止するための侵入防止部材、外壁材、断熱材もしくは外壁下地材、又は前記土台の前記幅方向の一端側に配置される部材を支持するための支持部材、及び、基礎の外側面に塗着される仕上げモルタル用のモルタル止め部材の少なくともいずれかであることが好ましい。これにより、水切り部材、侵入防止部材（防鼠部材、防虫部材）、外壁材や外壁下地材の下端位置の位置決めを行いつつ支持する支持部材、モルタル止め部材の少なくともいずれかである機能部材を、パッキン本体に取り付けることが可能となる。なお、本発明において、外壁下地材とは、後述の合板４（内装材）、竪胴縁６、間柱等を意味する。
【００１３】
さらに、本発明の基礎パッキンは、別の観点では、建物の基礎と土台との間に配置される一方向に長尺な基礎パッキンであって、前記一方向と直交する幅方向に貫通する通気孔が前記一方向の全長に亘って複数形成されたパッキン本体と、前記パッキン本体の前記幅方向の一端部において、前記パッキン本体の上面から上方に突出する突出部と、雨水の浸入を防止するための（例えば、前記幅方向に延在する雨水案内板部と前記雨水案内板部の先端から下方に延出する前垂れ板部とを有する）水切り部材とを備えており、前記突出部には、前記水切り部材を取り付けるための取付部が形成されている。
【００１４】
これによると、水切り部材を取り付けるための取付部が通気孔の上方に形成されているため、当該取付部及び取付部に取り付けられた水切り部材が通気孔を塞ぐのを抑制することが可能となる。したがって、基礎パッキンにおける通気性能を維持することが可能となる。
【００１５】
また、本発明において、前記取付部は、前記水切り部材を取り付けるための第１取付部と、前記第１取付部よりも上方に形成され、前記水切り部材とは別の機能を有し前記土台の前記幅方向の一端側に配置される前記建物を構成するための機能部材を取り付けることが可能な第２取付部とを有していることが好ましい。これにより、水切り部材とは別の機能を有する機能部材をパッキン本体に取り付けることが可能となる。
【発明の効果】
【００１６】
本発明の基礎パッキンによると、機能部材を取り付けるための取付部が通気孔の上方に形成されているため、当該取付部及び取付部に取り付けられた機能部材が通気孔を塞ぐのを抑制することが可能となる。したがって、基礎パッキンにおける通気性能を維持することが可能となる。また、取付部に所望機能を有する機能部材を選択的に取り付けることが可能となる。
さらに本発明の基礎パッキンの別の観点によると、水切り部材を取り付けるための取付部が通気孔の上方に形成されているため、当該取付部及び取付部に取り付けられた水切り部材が通気孔を塞ぐのを抑制することが可能となる。したがって、基礎パッキンにおける通気性能を維持することが可能となる。
【図面の簡単な説明】
【００１７】
【図１】本発明の一実施形態に係る基礎パッキンが採用された建物の構造を示す要部断面図である。
【図２】図１に示す基礎パッキンの要部斜視図である。
【図３】図１に示す支持部材の要部斜視図である。
【発明を実施するための形態】
【００１８】
以下、本発明の一実施形態に係る基礎パッキンが採用された建物１００の構造について、図１を参照しつつ以下に説明する。
【００１９】
本実施形態における建物１００は、図１に示すように、基礎１（例えば、布基礎）、木製の土台２、基礎パッキン３、合板４、断熱材５、竪胴縁６、外壁材７、及び、支持部材（侵入防止部材）８などを含んでなる。基礎１は、地面から上方に立ち上がって形成されており、長手方向Ａ（図１中紙面垂直方向：一方向）に長尺に延在している。基礎パッキン３も、長手方向Ａに沿って長尺に形成されており、基礎１上に設置されている。土台２は、基礎１とで基礎パッキン３を挟むように基礎パッキン３上に配置され、長手方向Ａに長尺に形成されている。土台２及び基礎パッキン３は、基礎１に植設されたアンカーボルト、角座金及びナット（ともに図示せず）によって基礎１上に固定されている。
【００２０】
合板４は、土台２の屋外側（幅方向Ｂの一端側）の側面２ａ及び土台２上に設けられた縦柱（不図示）に釘などにより固定されている。断熱材５は、その合板４の屋外側に取り付けられた間柱（不図示）の間に配置される。竪胴縁６は、断熱材５の屋外側の側面５ａとの間に透湿防水シート１０を挟んだ状態で間柱に釘などで固定されている。外壁材７は、竪胴縁６の屋外側の側面６ａに釘などにより固定されている。断熱材５及び外壁材７は、後述の支持部材８によって下端が位置決めされた状態で固定されている。外壁材７の下端には、支持部材８の先端と係合する切り欠き部７ａが形成されている。
【００２１】
続いて、基礎パッキン３について、図１及び図２を参照しつつ以下に説明する。本実施形態における基礎パッキン３は、図１に示すように、雨水などの浸入を防ぐための水切り部材９が取り付けられてなるものである。なお、図２に示す基礎パッキン３は、水切り部材９を取り外した状態で描かれている。より詳細には、基礎パッキン３は、パッキン本体３１と、突出部３５と、水切り部材９とを含んでいる。
【００２２】
パッキン本体３１は、図２に示すように、長手方向Ａに長尺な板状部材であり、屋外側と屋内側とを連通させるための複数の通気孔３２が形成されている。通気孔３２は、幅方向Ｂに沿って延在しパッキン本体３１を貫通している。複数の通気孔３２は、長手方向Ａに並んで配置されている。また、パッキン本体３１には、図１及び図２に示すように、アンカーボルトを通すために鉛直方向Ｃに貫通する複数のアンカーボルト孔３３が形成されている。なお、図１及び図２には、１つのアンカーボルト孔３３のみ示しているが、パッキン本体３１には複数のアンカーボルト孔３３が長手方向Ａに沿って並んで形成されている。アンカーボルト孔３３は、長方形平面形状を有する。
【００２３】
突出部３５は、図２に示すように、パッキン本体３１の屋外側の端部（幅方向Ｂの一端部）において、上面３１ａから上方に突出して形成されている。突出部３５は、パッキン本体３１の長手方向Ａの全長に亘って連続的に形成されている。突出部３５には、水切り部材９や支持部材８を取り付けるための取付部としての第１取付部３６、及び、第２取付部３７が形成されている。第１取付部３６は、突出部３５の下端部において、屋外側端部から幅方向Ｂに沿って突出部３５の中央部まで切り込まれ、突出部３５の長手方向Ａの全長に亘って連続的に形成された溝３６ａによって構成されている。この第１取付部３６を構成する溝３６ａの幅（鉛直方向Ｃの幅）は、水切り部材９の水平部９ａ１（後述する）を差し込んで取り付けることが可能に構成されている。また、第１取付部３６が、長手方向Ａに連続的に形成されているため、水切り部材９を長手方向Ａのいずれの箇所にでも取り付けることが可能となる。
【００２４】
第２取付部３７は、図２に示すように、突出部３５の上端部において、屋外側端部から幅方向Ｂに沿って突出部３５の中央部をやや越えた当たりまで延在する、複数の溝３７ａによって構成されている。第２取付部３７を構成する複数の溝３７ａは、突出部３５の長手方向Ａの全長に亘って、所定の間隔をおいて長手方向Ａに沿って並んで配置されている。この第２取付部３７の複数の溝３７ａに、後述の支持部材８の突起８ａが嵌め込まれることで、突出部３５に支持部材８が取り付けられる。
【００２５】
水切り部材９は、図１に示すように、幅方向Ｂに延在する雨水案内板部９ａと、前垂れ板部９ｂとを有し、長手方向Ａに沿って長尺に延在している。雨水案内板部９ａは、水平部９ａ１と、傾斜部９ａ２とを有する。水平部９ａ１は、幅方向Ｂに沿って水平に延在する板状部からなり、第１取付部３６を構成する溝３６ａの幅より若干小さい厚みを有している。また、水平部９ａ１は、幅方向Ｂの長さが第１取付部３６を構成する溝３６ａの深さ以上の長さを有している。傾斜部９ａ２は、水平部９ａ１の屋外側端部から斜め下方に延在する板状部からなり、傾斜部９ａ２上に落ちてきた雨水を前垂れ板部９ｂ側に案内する。前垂れ板部９ｂは、雨水案内板部９ａの先端（傾斜部９ａ２の屋外側端部）から鉛直下方に延在する板状部からなる。このように水切り部材９は、雨水を屋外側に案内することが可能な機能を有する機能部材であり、当該水切り部材９の水平部９ａ１が第１取付部３６に差し込まれることで、突出部３５に水切り部材９が取り付けられた基礎パッキン３が構成される。
【００２６】
次に、支持部材８について、図１及び図３を参照しつつ以下に説明する。支持部材８は、断熱材５及び外壁材７の下端の位置決めを行いつつ、これらを支持することが可能な機能を有する機能部材である。支持部材８は、図３に示すように、長手方向Ａに沿って長尺な板状部材から構成されている。支持部材８は、幅方向Ｂの中央部より屋内側の部分に下面から下方に突出した複数の突起８ａを有している。複数の突起８ａは、長手方向Ａに沿って並んで配置されている。また、複数の突起８ａの長手方向Ａにおける配置間隔は、第２取付部３７を構成する複数の溝３７ａと同じ間隔となっている。また、突起８ａは、幅方向Ｂに沿って延在し、当該溝３７ａに対して幅方向Ｂにスライド可能に構成されている。これにより、断熱材５と外壁材７との間の通気層（長手方向Ａに並ぶ竪胴縁間）１１の幅方向Ｂの間隔に応じて、又は、外壁材７の下端位置に応じて、支持部材８を幅方向Ｂにスライドして、支持部材８で外壁材７を支持することが可能となる。
【００２７】
支持部材８は、幅方向Ｂの中央部より屋外側の部分に、鉛直方向Ｃに貫通する複数の貫通孔８ｂを有している。複数の貫通孔８ｂは、長手方向Ａに沿って並んで配置されている。本実施形態における貫通孔８ｂの開口サイズは、ネズミなどの小動物が侵入できないサイズに設定されているが、さらに小さくして昆虫なども侵入不可能な開口サイズにしてもよい。この場合、１つの貫通孔８ｂの開口サイズは小さくなるが、貫通孔８ｂ自体の数を多くすれば、通気層１１を介した換気の妨げにならない。また、貫通孔８ｂの開口に開口サイズの小さい網状部材を設けてもよい。
【００２８】
このように支持部材８は、断熱材５及び外壁材７の下端の位置決めを行いつつこれらを支持する機能に加えて、通気層１１への生き物の侵入を防ぐ機能を有する機能部材（侵入防止部材）となる。支持部材８は、複数の突起８ａを第２取付部３７の複数の溝３７ａに差し込むことで基礎パッキン３に取り付けることが可能となる。
【００２９】
以上に述べたように、本実施形態の基礎パッキン３によると、支持部材８や水切り部材９を取り付けるための取付部としての第１取付部３６及び第２取付部３７が通気孔３２の上方に形成されている。このため、第１取付部３６及び第２取付部３７に取り付けられた支持部材８や水切り部材９が通気孔３２を塞ぐのを抑制することが可能となる。したがって、基礎パッキン３における通気性能を維持することが可能となる。また、第１取付部３６及び第２取付部３７に所望機能を有する機能部材としての支持部材８と水切り部材９とを選択的に取り付けることが可能となる。
【００３０】
また、突出部３５がパッキン本体３１の長手方向Ａの全長に亘って連続的に形成され、第１取付部３６をなす溝３６ａが長手方向Ａに沿って延在して形成されていることで、水切り部材９を、突出部３５の長手方向Ａの全長におけるいずれの箇所にでも取り付けることが可能となる。また、突出部３５の長手方向Ａの長さに応じて、一又は複数の水切り部材９を用いることで、突出部３５の長手方向Ａの全長において水切り部材９を取り付けることも可能となる。なお、第２取付部３７も同様に、第２取付部３７を構成する複数の溝３７ａが突出部３５の長手方向Ａの全長に亘って形成されているため、上述と同様に、支持部材８を突出部３５の長手方向Ａの全長における少なくともいずれかの箇所に、取り付けることが可能となる。換言すると、第１取付部３６及び第２取付部３７は、突出部３５の長手方向Ａの全長における少なくともいずれかの箇所に支持部材８及び水切り部材９を取り付けることが可能に構成されている。
【００３１】
突出部３５が、取付部として２つの第１取付部３６及び第２取付部３７を有しているため、複数種類の機能部材、すなわち、支持部材８と水切り部材９とを取り付けることが可能となる。
【００３２】
また、本実施形態における基礎パッキン３に取り付けられる機能部材は、生き物の侵入を防止するための侵入防止部材の機能も有する支持部材８と水切り部材９とである。仮に取付部が第１取付部３６又は第２取付部３７のいずれかだけで構成されていると、これら水切り部材、侵入防止部材（防鼠部材、防虫部材）、外壁材や外壁下地材の下端位置の位置決めを行いつつ支持する支持部材のいずれかをパッキン本体３３に取り付けることが可能となる。
【００３３】
また、突出部３５は、取付部として、第１取付部３６に加えて第２取付部３７を有していることで、水切り部材９とは別の機能を有する支持部材８を基礎パッキン３に取り付けることが可能となる。
【００３４】
以上、本発明の好適な実施の形態について説明したが、本発明は上述の実施の形態に限られるものではなく、特許請求の範囲に記載した限りにおいて様々な変更が可能なものである。例えば、上述の実施形態においては、基礎パッキン３の突出部に第１取付部３６と第２取付部３７とが形成されているが、いずれかの取付部だけが設けられていてもよいし、突出部３５に３以上の取付部を形成してもよい。なお、取付部に取り付けられる機能部材は、雨水の浸入を防止する機能を有する水切り部材、外壁材の内側の通気層へ鼠等の小動物や昆虫などの生き物の侵入を防止するための侵入防止部材（防鼠部材や防虫部材）、外壁材や外壁下地材の下端位置の位置決めを行いつつ支持する支持部材、及び、基礎の外側面に塗着される仕上げモルタル用の公知のモルタル止め部材などの機能を有する、建物を構成するための機能部材であれば、特に限定するものではない。本実施形態においては、支持部材８には、侵入防止部材の機能を含まれているが、当該機能が含まれていない支持部材であってもよい。また、支持部材８は、合板４、竪胴縁６、間柱等の外壁下地材、外壁材７、断熱材５などの建物を構成する部材のうちの１つ又は３以上を支持していてもよい。機能部材は、水切り部材９、支持部材８、侵入防止部材、及び、モルタル止め部材のみならず、建物１００を構成するための他の機能を有する機能部材であってもよい。
【００３５】
また、突出部３５が、パッキン本体３１の長手方向Ａの全体に亘って形成されていなくてもよい。また、上述の実施形態においては、突出部３５がパッキン本体３１の屋外側端部に形成されているが、パッキン本体３１の屋内側端部（幅方向Ｂの一端部）に形成されていてもよい。この場合、土台２の屋内側に配置される建物を構成するための機能部材を取り付けるための取付部が当該突出部に形成されておればよい。例えば、土台２の屋内側に断熱材を設ける場合、この断熱材の下端位置を支持する支持部材を取り付けるための取付部が突出部に形成されておればよい。
【００３６】
また、取付部としての第１取付部３６及び第２取付部３７が、溝３６ａ，３７ａ以外の例えば、凸部などから構成されていてもよい。この場合、取付部に取り付けられる機能部材に凸部に対応する凹部などが設けられておればよい。要するに、機能部材を取り付けるために機能部材の形状に応じた取付部が突出部３５に形成されておればよい。
【符号の説明】
【００３７】
１  基礎
２  土台
３  基礎パッキン
８  支持部材（機能部材）
９  水切り部材（機能部材）
９ａ  雨水案内部
９ｂ  前垂れ板部
３１  パッキン本体
３２  通気孔
３５  突出部
３６  第１取付部（取付部）
３７  第２取付部（取付部）
１００  建物
【図１】
2018145613.tif 000003
【図２】
2018145613.tif 000004
【図３】
2018145613.tif 000005